(57)【要約】      （修正有）【課題】支持部材を構成する板材の板厚を厚くすることなく、基部における必要な強度を簡易にかつ低コストで確保することができる太陽光パネルの支持金具を提供する。【解決手段】屋根上に設置される太陽光パネルを取り付けるための枠体を支持固定する太陽光パネルの支持金具であって、その支持金具の主体となす支持金具本体を、所望の板厚及び幅の板材から形成するとともに、屋根を構築する下地側に固定される基部１０と、基部の一方の端部から上方に立ち上げた起立部２０と、起立部の上端から基部の上方にほぼ平行に対向するように延設されて枠体側を支持固定する支持部３０と、を一体的に曲折形成し、支持金具本体には、複数の凸条１２Ｃを長さ方向に形成する。【選択図】図１
0003191300.tif 000002
【実用新案登録請求の範囲】
【請求項１】
屋根上に設置される太陽光パネルを取り付けるための枠体を支持固定する太陽光パネルの支持金具であって、前記支持金具の主体となす支持金具本体は、所望の板厚及び幅の板材から形成されているとともに、屋根を構築する下地側に固定される基部と、該基部の一方の端部から上方に立ち上げて前記枠体側を支持固定する支持部と、が一体的に曲折形成される太陽光パネルの支持金具において、
前記支持金具本体には、複数の凸条が長さ方向に形成されていることを特徴とする太陽光パネルの支持金具。
【請求項２】
前記支持金具本体は、長さ方向略中央に斜面の長さが異なる山部を有することを特徴とする請求項１記載の太陽光パネルの支持金具。
【請求項３】
前記凸条は、前記山部の両側縁部に形成されていることを特徴とする請求項１記載の太陽光パネルの支持金具。
【請求項４】
前記凸条は、幅方向の断面が円弧状に形成されていることを特徴とする請求項１記載の太陽光パネルの支持金具。
【請求項５】
前記支持部には、前記支持金具に生じる振動を吸収する吸振部材が設けられていることを特徴とする請求項１から４のいずれか１項に記載の太陽光パネルの支持金具。
【請求項６】
前記支持部には、方形の貫通孔が設けられており、該方形の貫通孔に嵌合する四角形のナット形状の保持部を有するボルトが挿通されて前記固定部材を固定することを特徴とする請求項１から５のいずれか１項に記載の太陽光パネルの支持金具。
【請求項７】
前記基部には、該基部の端部から前記山部の一方の斜面の両側縁部にわたって上向きに折曲したフランジ片が立ち上げ形成されていることを特徴とする請求項１から６のいずれかに記載の太陽光パネルの支持金具。
【考案の詳細な説明】
【技術分野】
【０００１】
本考案は、屋根の上面側に設置される太陽光パネルを取り付けるための太陽光パネルの支持金具に関する。
【背景技術】
【０００２】
特許文献１に示されるように、この種の支持金具にあっては、金具の主体となる支持金具本体を、所望の板厚及び幅の板材から形成された扁平状の基部と、基部から上方に曲折して立ち上げた固定部とが一体的に形成され、基部を屋根の下地材側に固定するとともに、固定部に縦桟及び横桟等を枠組みした枠体側を支持固定するように構成されている。
【０００３】
しかし、上記した支持金具は、基部の一方の端部から固定部を立ち上げて形成し、この固定部により枠体を支持固定するものであるため、基部には、相当の荷重が作用することになり、その部位の強度の確保が必要不可欠なものであり、その補強対策として、単に基部の板厚をその必要強度に対応して厚くすることも考えられるが、支持金具における屋根部材の取付状態、例えば、上下に葺き重ねられる屋根部材の間に固定される構造の取付状態を考慮すると、単に板厚を厚くすることができなかった。
【０００４】
そこで、例えば、特許文献２に示されるように、支持金具の主体となす支持金具本体を、所望の板厚及び幅の板材から形成するとともに、屋根を構築する下地材側に固定される基部とその基部から上方に立ち上げて枠体側を支持固定する固定部とから曲折形成し、基部の側縁部位を上方に曲折した上向きのフランジ片を立ち上げ形成するようにした技術が提案されている。
【０００５】
この特許文献２に記載された技術によれば、支持金具を構成する支持金具本体における基部を、その板材の板厚寸法を変えることなく、基部の強度を増大することができ、支持金具全体の強度を増大するとともに、屋根を構築する下地材側に対する取付け（固定）強度を確保することができる、とされている。
【先行技術文献】
【特許文献】
【０００６】
【特許文献１】特開２００３−２３９４８２号公報
【特許文献２】特開２００７−００２６５０号公報
【考案の概要】
【考案が解決しようとする課題】
【０００７】
しかしながら、上記した特許文献２に記載された技術によれば、フランジ片は基部の側縁部位から上方に曲折して立ち上げ形成され、かつ、基部の開放端側から固定部の立ち上げ側まで形成されるので、フランジ片を形成するための作業に時間がかかり、また、その分のコストも嵩むという問題がある。
【０００８】
従って、本考案の目的は、支持部材を構成する板材自体の板厚を厚くすることなく、その基部における必要な強度を簡易にかつ低コストで確保することができる太陽光パネルの支持金具を提供することにある。
【課題を解決するための手段】
【０００９】
上記課題を解決するため、屋根上に設置される太陽光パネルを取り付けるための枠体を支持固定する太陽光パネルの支持金具であって、前記支持金具の主体となす支持金具本体は、所望の板厚及び幅の板材から形成されているとともに、屋根を構築する下地側に固定される基部と、該基部の一方の端部から上方に立ち上げて前記枠体側を支持固定する支持部と、が一体的に曲折形成される太陽光パネルの支持金具において、前記支持金具本体には、複数の凸条が長さ方向に形成されていることを特徴とする太陽光パネルの支持金具を提供するものである。
【００１０】
以上の構成において、前記支持金具本体は、長さ方向略中央に斜面の長さが異なる山部を有することを特徴とする。
【００１１】
また、前記凸条は、前記山部の両側縁部に形成されていることを特徴とする。また、前記凸条は、幅方向の断面が円弧状に形成されていることを特徴とする。
【００１２】
また、前記支持部には、前記支持金具に生じる振動を吸収する吸振部材が設けられていることを特徴とする。
【００１３】
また、前記支持部には、方形の貫通孔が設けられており、該方形の貫通孔に嵌合する四角形のナット形状の保持部を有するボルトが挿通されて前記固定部材を固定することを特徴とする。
【００１４】
更に、前記基部には、該基部の端部から前記山部の一方の斜面の両側縁部にわたって上向きに折曲したフランジ片が立ち上げ形成されていることを特徴とする。
【考案の効果】
【００１５】
本考案の太陽光パネルの支持金具は、支持金具本体を、所望の板厚及び幅の板材から形成し、屋根を構築する下地側に固定される基部とその基部の一方の端部から上方に立ち上げて固定部材を支持する支持部とを一体的に曲折形成し、基部の長さ方向に複数の凸条を延設して形成するようにしたので、太陽光パネルの支持金具を構成する基部をその板材の板厚寸法を変えることなく、基部の強度を簡易にかつ低コストで確保することができる。これにより、支持金具全体の強度を増大することができる。
【図面の簡単な説明】
【００１６】
【図１】図１（ａ）は、本考案の太陽光パネルの支持金具の構成を示した斜視図であり、（ｂ）は、本考案の太陽光パネルの支持金具の構成を示した側面図であり、（ｃ）は、（ａ）に示したＡＡ断面を示した断面図である。
【図２】（ａ）は、支持部材を支持金具に固定するための締結部材の構成を示した図であり、（ｂ）は、支持部材を支持金具に固定するための締結部材の構成を示した断面図である。
【図３】（ａ）は、支持金具を屋根の下地側に固定する状態を示した図であり、（ｂ）は、支持金具に支持部材を固定する状態を示した図である。
【図４】（ａ）は、第２の実施形態に係る太陽光パネルの支持金具の構成を示した斜視図であり、（ｂ）は、第２の実施形態に係る太陽光パネルの支持金具の側面を示した側面図である。
【考案を実施するための形態】
【００１７】
＜第１の実施形態＞
以下、図面を参照して本考案に係る太陽光パネルの支持金具について説明する。
図１（ａ）は、第１の実施形態に係る本考案の太陽光パネルの支持金具の構成を示した斜視図であり、図１（ｂ）は、第１の実施形態に係る本考案の太陽光パネルの支持金具の構成を示した側面図であり、図１（ｃ）は、図１（ａ）に示したＡＡ断面を示した断面図であり、図２（ａ）は、支持部材を支持金具に固定するための締結部材の構成を示した図であり、図２（ｂ）は、支持部材を支持金具に固定するための締結部材の構成を示した断面図である。
【００１８】
図示するように、第１の実施形態に係る支持金具１は、全体として所望の板厚及び幅の板材から形成されており、基部１０と基部１０の一端から上方に曲折して立ち上げた起立部２０と、起立部２０の上端から基部１０の上方にほぼ平行に対向するように延設された支持部３０とから構成されている。
【００１９】
基部１０は、屋根を構築する下地（図示せず）に固定される下位辺１１と、下位辺１１の端部から延設される山部１２と、この山部１２の端部から延設される上位辺１３とから構成されている。
【００２０】
下位辺１１は、屋根を構築する下地に支持金具１本体を固定するために貫通孔１１ａが複数設けられており、この複数孔１１ａにネジ等を挿入して支持金具１本体を下地に固定する。山部１２は、両側に斜状部位１２ａ，１２ｂが形成されている。斜状部位１２ａは、下位辺１１と連設しており、斜状部位１２ｂは上位辺１３と連設している。なお、斜状部位１２ａと斜状部位１２ｂとは長さが異なるため、図１（ｂ）に示すように、下位辺１１と上位辺１３との高さが異なる。
【００２１】
山部１２には、長さ方向にわたって凸条部１２ｃが形成されている。図示するように、凸条部１２ｃは２本形成されているが、２本に限定されることなく２本以上の凸条部１２ｃが形成されてもよい。また、図１（ｃ）に示すように、断面形状が上向きに湾曲する円弧状に形成されている。このような構造により、基部１０の変形強度を強化することができ、基部１０の強度を高めることにより支持金具１全体の強度を増大させることができる。
【００２２】
一方、起立部２０から延設された支持部３０には、方形の貫通孔３１が設けられている。この貫通孔３１には締結部材であるボルト２００が挿通され、後述する太陽光パネルを固定するための固定部材（図示せず）を支持する支持部材３００をボルト２００に固定することができる。
【００２３】
図２に示すように、上記した締結部材ボルト２００は、頭部２０１に四角形のナット形状の保持部２０２と、この保持部２０２の上方にねじ溝が形成された軸２０３が一体的に構成されている。四角形のナット形状に形成された保持部２０２の直径は、支持金具１の支持部３０に設けられた方形の貫通孔３１の径とほぼ同じである。これにより、ボルト２００を支持部３０の下面から方形の貫通孔３１に挿通した際に、保持部２０２が方形の貫通孔３１に嵌合することでボルト２００が回転したり抜脱したりすることを防止することができる。
【００２４】
また、ボルト２００が支持部３０の貫通孔３１に挿通されると、ボルト２００の保持部２０２の上部が貫通孔３１から支持部３０の上面に露出する。後述する支持部材３００には、方形の長孔３０１が設けられており、この方形の長孔３０１が露出している保持部２０２の上部と嵌合ことで、方形の長孔３０１の長さ方向にのみ支持部材３００を水平移動させることが可能となる。
【００２５】
次に、本考案の太陽光パネルの支持金具を屋根に設置する方法について説明する。
図３（ａ）は、支持金具を屋根の下地側に固定する状態を示した図であり、図３（ｂ）は、支持金具に支持部材を固定する状態を示した図である。
【００２６】
図示するように、まず、支持金具１本体を、屋根を構築する下地Ｗに固定する。このとき、下地Ｗに載置した支持金具１の下位辺１１に設けられている貫通孔１１ａにネジ４００を挿通させ締結することで支持金具１を下地Ｗに固定する。次に、支持部３０に設けられている貫通孔３１の下面側からボルト２００を挿通させる。
【００２７】
そして、支持部３０に上面にゴム等の弾性体で構成された平板状の緩衝部材４０を載置する。この緩衝部材４０は、屋根上設置物が風などによる振動を吸収することで支持金具１および屋根本体への損傷を軽減する効果がある。次に、支持部材３００をボルト２００に締結する固定することで支持金具１本体に支持部材３００を装着することができる。
【００２８】
＜第２の実施形態＞
図４は、第２の実施形態に係る太陽光パネルの支持金具の構成を示す図であり、（ａ）は、その斜視図。（ｂ）は、その側面図である。
図１と同一の内容には同一の符号を付したので重複する説明は省略するが、図示するように、第２の実施形態に係る支持金具１は、上記した第１の実施形態に係る支持金具１の構成に加え、下位辺１１から山部１２の斜状部位１２ａにわたって両側縁部位を上方に折曲した上向きフランジ片５０が立ち上がるようにして形成されている。
【００２９】
なお、このフランジ片５０は、下位辺１１の端部から斜状部位１２ａの端部にわたって同じ高さで形成されている。
【００３０】
このような簡単な構成でも、基部１０の変形強度を強化することができ、基部１０の強度を高めることにより支持金具１全体の強度を増大させることができる。
【符号の説明】
【００３１】
１    支持金具
１０    基部
１１    下位辺
１１ａ、３１    貫通孔
１２    山部
１２ａ、１２ｂ    斜状部位
１２ｃ    凸条部
１３    上位辺
２０    起立部
３０    支持部
４０    緩衝部材
５０    フランジ片
２００    ボルト
２０１    頭部
２０２    保持部
２０３    軸
３００    支持部材
４００    ネジ
【図１】
0003191300.tif 000003
【図２】
0003191300.tif 000004
【図３】
0003191300.tif 000005
【図４】
0003191300.tif 000006
【手続補正書】
【提出日】平成26年4月3日(2014.4.3)
【手続補正１】
【補正対象書類名】実用新案登録請求の範囲
【補正対象項目名】全文
【補正方法】変更
【補正の内容】
【実用新案登録請求の範囲】
【請求項１】
屋根上に設置される太陽光パネルを取り付けるための枠体を支持固定する太陽光パネルの支持金具であって、前記支持金具の主体となす支持金具本体は、所望の板厚及び幅の板材から形成されているとともに、屋根を構築する下地側に固定される基部と、該基部の一方の端部から上方に立ち上げて前記枠体側を支持固定する支持部と、が一体的に曲折形成される太陽光パネルの支持金具において、
前記支持金具本体には、複数の凸条が長さ方向に形成されていることを特徴とする太陽光パネルの支持金具。
【請求項２】
前記支持金具本体は、長さ方向略中央に斜面の長さが異なる山部を有することを特徴とする請求項１記載の太陽光パネルの支持金具。
【請求項３】
前記凸条は、前記山部の両側縁部に形成されていることを特徴とする請求項２記載の太陽光パネルの支持金具。
【請求項４】
前記基部には、該基部の端部から前記山部の一方の斜面の両側縁部にわたって上向きに折曲したフランジ片が立ち上げ形成されていることを特徴とする請求項２または３に記載の太陽光パネルの支持金具。
【請求項５】
前記凸条は、幅方向の断面が円弧状に形成されていることを特徴とする請求項１から４のいずれか１項に記載の太陽光パネルの支持金具。
【請求項６】
前記支持部には、前記支持金具に生じる振動を吸収する吸振部材が設けられていることを特徴とする請求項１から５のいずれか１項に記載の太陽光パネルの支持金具。
【請求項７】
前記支持部には、方形の貫通孔が設けられており、該方形の貫通孔に嵌合する四角形のナット形状の保持部を有するボルトが挿通されて前記支持部を固定することを特徴とする請求項１から６いずれか１項に記載の太陽光パネルの支持金具。
【手続補正２】
【補正対象書類名】明細書
【補正対象項目名】００１３
【補正方法】変更
【補正の内容】
【００１３】
また、前記支持部には、方形の貫通孔が設けられており、該方形の貫通孔に嵌合する四角形のナット形状の保持部を有するボルトが挿通されて前記支持部を固定することを特徴とする。